(57)【要約】【課題】さらなる省電力化を図ったネットワーク装置を提供する。【解決手段】複数のポート２と、ポート２毎に設けられた複数の送受信制御部３と、送受信制御部３に搭載され、対応するポート２との間でリンク確認信号を送受信するリンク確認信号送受信部４と、各ポート２にそれぞれ設けられ、対応するポート２に通信ケーブル８が接続されているか否かを検知するケーブル接続検知手段６と、ケーブル接続検知手段６により通信ケーブル８が接続されていないことを検知したポート２に対応するリンク確認信号送受信部４を制御し、リンク確認信号の送信を停止させる省電力制御部７と、を備えたものである。【選択図】図１
2016096427.tif 000002
【特許請求の範囲】
【請求項１】
複数のポートと、
前記ポート毎に設けられた複数の送受信制御部と、
前記送受信制御部に搭載され、対応する前記ポートとの間でリンク確認信号を送受信するリンク確認信号送受信部と、
前記各ポートにそれぞれ設けられ、対応する前記ポートに通信ケーブルが接続されているか否かを検知するケーブル接続検知手段と、
前記ケーブル接続検知手段により前記通信ケーブルが接続されていないことを検知した前記ポートに対応する前記リンク確認信号送受信部を制御し、リンク確認信号の送信を停止させる省電力制御部と、
を備えたことを特徴とするネットワーク装置。
【請求項２】
前記省電力制御部は、前記ケーブル接続検知手段により前記通信ケーブルが接続されていないことを検知した前記ポートに対応する前記送受信制御部の作動を停止させるように構成される
請求項１記載のネットワーク装置。
【請求項３】
前記省電力制御部は、前記送受信制御部を構成する物理層ＬＳＩをシャットダウンすることで、前記送受信制御部の作動を停止させるように構成される
請求項２記載のネットワーク装置。
【請求項４】
前記物理層ＬＳＩが複数の前記送受信制御部を構成しているとき、前記省電力制御部は、当該物理層ＬＳＩが構成する前記送受信制御部に対応する前記ポートの全てに前記通信ケーブルが接続されていないとき、当該物理層ＬＳＩをシャットダウンするように構成される
請求項３記載のネットワーク装置。
【請求項５】
前記ケーブル接続検知手段は、前記通信ケーブルの接続時に前記通信ケーブルの先端部に押下されるプッシュスイッチを備える
請求項１〜３いずれかに記載のネットワーク装置。
【発明の詳細な説明】
【技術分野】
【０００１】
本発明は、ネットワーク装置に関するものである。
【背景技術】
【０００２】
スイッチングハブ（ネットワークスイッチ、スイッチ）等のネットワーク装置として、複数のポートと、ポート毎に設けられた複数の送受信制御部と、送受信制御部に搭載され、対応するポートとの間でリンク確認信号を送受信するリンク確認信号送受信部と、を備えたものが知られている。
【０００３】
このネットワーク装置では、リンク確認信号を全てのポートから常時送信しており、任意のポートに機器が接続され当該機器からリンク確認信号に対する応答が得られたときに、リンクが確立したと判断し通信等を行うように構成されている。
【０００４】
スイッチングハブにおいては、複数の送受信制御部が通信制御部（通信制御ＬＳＩ、スイッチングＬＳＩ）に接続されており、この通信制御部にてポート間の中継処理が行われる。
【０００５】
特許文献１では、通信制御部に接続されている全てのポートで一定期間データ入力が検出されないときに、当該通信制御部への電力供給を停止することで、省電力化を図ったネットワーク装置が提案されている。
【先行技術文献】
【特許文献】
【０００６】
【特許文献１】特許第３３１９４２０号公報
【発明の概要】
【発明が解決しようとする課題】
【０００７】
しかしながら、特許文献１のネットワーク装置では、通信制御部に複数のポートが対応しているため、そのうち１つのポートで通信が行われていれば通信制御部をシャットダウンすることができず、十分な省電力の効果が得られないおそれがある、という問題があった。この問題は、特に通信制御部に対応するポート数が多い場合に顕著である。
【０００８】
そこで、本発明の目的は、上記課題を解決し、さらなる省電力化を図ったネットワーク装置を提供することにある。
【課題を解決するための手段】
【０００９】
本発明は上記目的を達成するために創案されたものであり、複数のポートと、前記ポート毎に設けられた複数の送受信制御部と、前記送受信制御部に搭載され、対応する前記ポートとの間でリンク確認信号を送受信するリンク確認信号送受信部と、前記各ポートにそれぞれ設けられ、対応する前記ポートに通信ケーブルが接続されているか否かを検知するケーブル接続検知手段と、前記ケーブル接続検知手段により前記通信ケーブルが接続されていないことを検知した前記ポートに対応する前記リンク確認信号送受信部を制御し、リンク確認信号の送信を停止させる省電力制御部と、を備えたネットワーク装置である。
【００１０】
前記省電力制御部は、前記ケーブル接続検知手段により前記通信ケーブルが接続されていないことを検知した前記ポートに対応する前記送受信制御部の作動を停止させるように構成されてもよい。
【００１１】
前記省電力制御部は、前記送受信制御部を構成する物理層ＬＳＩをシャットダウンすることで、前記送受信制御部の作動を停止させるように構成されてもよい。
【００１２】
前記物理層ＬＳＩが複数の前記送受信制御部を構成しているとき、前記省電力制御部は、当該物理層ＬＳＩが構成する前記送受信制御部に対応する前記ポートの全てに前記通信ケーブルが接続されていないとき、当該物理層ＬＳＩをシャットダウンするように構成されてもよい。
【００１３】
前記ケーブル接続検知手段は、前記通信ケーブルの接続時に前記通信ケーブルの先端部に押下されるプッシュスイッチを備えてもよい。
【発明の効果】
【００１４】
本発明によれば、さらなる省電力化を図ったネットワーク装置を提供できる。
【図面の簡単な説明】
【００１５】
【図１】本発明の一実施形態に係るネットワーク装置の概略構成図である。
【図２】本発明において、省電力制御部の制御フローを示すフロー図である。
【発明を実施するための形態】
【００１６】
以下、本発明の実施形態を添付図面にしたがって説明する。
【００１７】
図１は、本実施形態に係るネットワーク装置の概略構成図である。
【００１８】
図１に示すように、ネットワーク装置１は、複数のポート２と、ポート２毎に設けられた複数の送受信制御部３と、送受信制御部３に搭載され、対応するポート２との間でリンク確認信号を送受信するリンク確認信号送受信部４と、を備えている。
【００１９】
本実施形態では、ネットワーク装置１が、複数の送受信制御部３が接続されポート２間の中継処理を行う通信制御部（通信制御ＬＳＩ、スイッチングＬＳＩ）５を備えたスイッチングハブ（ネットワークスイッチ、スイッチ）である場合を説明する。
【００２０】
図１では、図の簡略化のため、ポート２を１つ、送受信制御部３を１つ、通信制御部５を１つのみ示しているが、実際には、ネットワーク装置１は、複数系統の通信制御部５を備え、各通信制御部５に複数の送受信制御部３を介して複数のポート２が接続される構成となっている。
【００２１】
ネットワーク装置１では、送受信制御部３のリンク確認信号送受信部４から対応するポート２にリンク確認信号を送信し、そのポート２に機器が接続され当該機器からリンク確認信号に対する応答が得られたときに、リンクが確立したと判断して当該機器と通信等を行うように構成されている。
【００２２】
送受信制御部３は、各ポート２の物理的な送受信を制御するものであり、物理層ＬＳＩ（ＰＨＹ−ＬＳＩ）で構成されている。送受信制御部３は、送信時のケーブル伝送に適した符号への変換や、受信時のデータ復元等を行う。
【００２３】
さて、本実施形態に係るネットワーク装置１は、ケーブル接続検知手段６と、省電力制御部７と、をさらに備えている。
【００２４】
ケーブル接続検知手段６は、各ポート２にそれぞれ設けられ、対応するポート２に通信ケーブル８が接続されているか否かを検知するものである。
【００２５】
本実施形態では、ケーブル接続検知手段６は、通信ケーブル８の接続時に通信ケーブル８の先端部（ジャックの部分）に押下されるプッシュスイッチ６ａを備えており、このプッシュスイッチ６ａの押下を検出することにより、ポート２への通信ケーブル８の接続の有無を検出するように構成している。プッシュスイッチ６ａの押下を検出する方法としては、例えば、プッシュスイッチ６ａの押下により開閉されるスイッチ回路を備え、当該スイッチ回路の接点信号を用いて検出する方法等が挙げられる。
【００２６】
なお、ここではケーブル接続検知手段６として、通信ケーブル８の接触により押下されるプッシュスイッチ６ａを用いた接触式のものを用いる場合を説明したが、ケーブル接続検知手段６はプッシュスイッチ６ａに限定されるものではなく、また、非接触式のものを用いても構わない。非接触式のケーブル接続検知手段６としては、例えば、ポート２のレセプタクル内で発光部と受光部を対向させ、発光部からの光が通信ケーブル８のジャックにより遮られて受光部で受光できなくなったときに通信ケーブル８の接続を検知する、といった方式が挙げられる。他の非接触式のケーブル接続検知手段６として、磁束密度の変化や静電容量の変化を検出する方式等が挙げられる。
【００２７】
省電力制御部７は、ケーブル接続検知手段６により通信ケーブル８が接続されていないことを検知したポート２に対応するリンク確認信号送受信部４を制御し、リンク確認信号の送信を停止させるものである。省電力制御部７は、ＣＰＵ、メモリ、ソフトウェア等を適宜組み合わせて実現される。
【００２８】
通信ケーブル８が接続されていないポート２には機器が接続されることがあり得ないので、通信ケーブル８が接続されていないポート２にリンク確認信号を送信することは無駄であるといえる。そこで、本実施形態では、通信ケーブル８が接続されていないポート２については、リンク確認信号の送信を停止させることで、省電力化を図っている。
【００２９】
本実施形態では、通信ケーブル８が接続されていないポート２に対応するリンク確認信号送受信部４を制御して、リンク確認信号の送信を停止させるように省電力制御部７を構成したが、さらに、通信ケーブル８が接続されていないポート２に対応する送受信制御部３の作動を停止させるように省電力制御部７を構成してもよい。これにより、さらなる省電力化を図ることが可能になる。
【００３０】
送受信制御部３の作動を停止させる際には、送受信制御部３を構成する物理層ＬＳＩをシャットダウン（電源供給を停止）して動作を停止させればよい。なお、物理層ＬＳＩが複数の送受信制御部３を構成している場合も考えられるが、このような場合には、任意の物理層ＬＳＩが構成する送受信制御部３に対応するポート２の全てに通信ケーブル８が接続されていないときに、当該物理層ＬＳＩをシャットダウンするように省電力制御部７を構成すればよい。
【００３１】
次に、省電力制御部７の制御フローについて説明する。ここでは、一例として、１〜ｎ番のｎ個のポート２を有し、各ポート２に対応する送受信制御部３が共通の物理層ＬＳＩにより実現されている場合について説明する。
【００３２】
図２に示すように、まず、ステップＳ１にて、ポート２の番号を表す変数ｉに初期値１を代入し、ステップＳ２にて、ケーブル接続検知手段６によりｉ番のポート２に通信ケーブル８が接続されているかを検知し、ｉ番のポート２に通信ケーブル８が接続されているかを判定する。
【００３３】
ステップＳ２でＮＯと判定された場合、ステップＳ３にて、ｉ番のポート２に対応するリンク確認信号送受信部４を制御して、リンク確認信号の送信を停止させ、ステップＳ５に進む。なお、ステップＳ３では、既にｉ番のポート２に対応するリンク確認信号送受信部４にてリンク確認信号の送信を停止している場合には、リンク確認信号の送信の停止を継続する。
【００３４】
ステップＳ２でＹＥＳと判定された場合、ステップＳ４にて、ｉ番のポート２に対応するリンク確認信号送受信部４を制御して、リンク確認信号の送信を開始させ、ステップＳ５に進む。なお、ステップＳ４では、既にｉ番のポート２に対応するリンク確認信号送受信部４にてリンク確認信号の送信を行っている場合には、リンク確認信号の送信を継続する。
【００３５】
ステップＳ５では、変数ｉがｎ以上かを判定する。ステップＳ５でＮＯと判定された場合、ステップＳ６にて、変数ｉをインクリメントした後、ステップＳ２に戻る。
【００３６】
ステップＳ５でＹＥＳと判定された場合、ステップＳ７にて、１〜ｎ番の全てのポート２に通信ケーブル８が接続されていないかを判定する。
【００３７】
ステップＳ７でＹＥＳと判定された場合、ステップＳ８にて、物理層ＬＳＩへの電源供給を停止し、各ポート２の送受信制御部３の作動を停止させた後、ステップＳ９に進む。なお、ステップＳ８では、既に物理層ＬＳＩへの電源供給を停止している場合（送受信制御部３の作動を停止している場合）には、物理層ＬＳＩへの電源供給の停止（送受信制御部３の作動の停止）を継続する。
【００３８】
ステップＳ９では、ケーブル接続検知手段６により各ポート２の通信ケーブル８の接続を検知し、ステップＳ７に戻る。
【００３９】
ステップＳ５でＮＯと判定された場合、すなわち、いずれかのポート２に通信ケーブル８が接続されている場合には、ステップＳ１０にて、物理層ＬＳＩへの電源供給を開始し、各ポート２の送受信制御部３の作動を開始させる。なお、ステップＳ１０では、既に物理層ＬＳＩへ電源供給している場合（送受信制御部３が作動している場合）には、物理層ＬＳＩへの電源供給（送受信制御部３の作動）を継続する。その後、リターンしステップＳ１に戻る。
【００４０】
以上説明したように、本実施形態に係るネットワーク装置１は、各ポート２にそれぞれ設けられ、対応するポート２に通信ケーブル８が接続されているか否かを検知するケーブル接続検知手段６と、ケーブル接続検知手段６により通信ケーブル８が接続されていないことを検知したポート２に対応するリンク確認信号送受信部４を制御し、リンク確認信号の送信を停止させる省電力制御部７と、を備えている。
【００４１】
これにより、通信ケーブル８が未接続状態のポート２に対しては、リンク確認信号を停止させることが可能となり、ネットワーク装置１の消費電力を低減し、省電力化を実現することが可能になる。
【００４２】
本実施形態では、各ポート２毎にリンク確認信号の送信・停止を制御できるため、対応するポート全てが未使用でないと省電力効果が得られない従来技術（特許文献１参照）と比較して、確実に省電力化の効果を得ることが可能であり、頻繁に通信ケーブル８の接続の変更が行われるような場合であっても、未使用ポートが存在すれば常に一定の省電力効果を得ることが可能である。
【００４３】
本発明は上記実施形態に限定されるものではなく、本発明の趣旨を逸脱しない範囲で種々の変更を加え得ることは勿論である。
【００４４】
例えば、上記実施形態では、ネットワーク装置１がスイッチングハブである場合を説明したが、これに限らず、本発明は、リンク確認信号送受信部４を搭載した送受信制御部３を備えるものであれば適用可能である。
【００４５】
また、上記実施形態では言及しなかったが、本発明はリンク確認信号を送信するポート２であれば適用可能となるため、通常の通信用のポート２だけでなく、ネットワーク装置１を管理するための管理ポートにも本発明は適用可能である。
【符号の説明】
【００４６】
１  ネットワーク装置
２  ポート
３  送受信制御部
４  リンク確認信号送受信部
６  ケーブル接続検知手段
７  省電力制御部
８  通信ケーブル
【図１】
2016096427.tif 000003
【図２】
2016096427.tif 000004